(57)【要約】【課題】  装置の使い勝手を損ねることなく、雑音が記録されてしまうことを防ぐ。【解決手段】  光学系を含む撮像部と、音声入力部と、前記撮像部で撮像した画像と、前記音声入力部に入力された音声とを記録する記録部と、前記撮像部、前記音声入力部、前記記録部、前記光学系を制御する制御部と、前記音声入力部より入力された音声をモニタリングするモニタリング出力を行うモニタリング部とを備え、前記制御部は、前記モニタリング部から音声出力がなされている期間において、モニター音声を阻害しないよう前記光学系を静音制御する。【選択図】  図４
2018078460.tif 000002
【特許請求の範囲】
【請求項１】
光学系を含む撮像部と、
音声入力部と、
前記撮像部で撮像した画像と、前記音声入力部に入力された音声とを記録する記録部と、
前記撮像部、前記音声入力部、前記記録部、前記光学系を制御する制御部と、
前記音声入力部より入力された音声をモニタリングするモニタリング出力を行うモニタリング部とを備え、
前記制御部は、前記モニタリング部から音声出力がなされている期間において、モニター音声を阻害しないよう前記光学系を静音制御することを特徴とする撮像装置。
【発明の詳細な説明】
【技術分野】
【０００１】
本発明は撮像装置に関する。
【背景技術】
【０００２】
従来、撮像装置においては動画と音声とを記録する機能をもつものが知られている。また、このような撮像装置において、撮影時のレンズの駆動音が記録されるのを防止する技術も提案されている（特許文献１参照）。
【先行技術文献】
【特許文献】
【０００３】
【特許文献１】特開2010-178279号公報
【発明の概要】
【発明が解決しようとする課題】
【０００４】
前記特許文献１では、動画撮影時において、外部マイク接続端子に外部マイクが接続された場合に、オートフォーカスを行うとある。つまり、それ以外の場合は、オートフォーカスを行わないということであり、外部マイクが接続されていない場合にユーザの使い勝手を損ねるおそれがある。
【０００５】
本発明は、装置の使い勝手を損ねることなく、雑音が記録されてしまうことを防ぐことが可能な装置を提供することを目的とする。
【課題を解決するための手段】
【０００６】
撮像装置は、光学系を含む撮像部と、音声入力部と、前記撮像部で撮像した画像と、前記音声入力部に入力された音声とを記録する記録部と、前記撮像部、前記音声入力部、前記記録部、前記光学系を制御する制御部と、前記音声入力部より入力された音声をモニタリングするモニタリング出力を行うモニタリング部とを備え、前記制御部は、前記モニタリング部から音声出力がなされている期間において、モニター音声を阻害しないよう前記光学系を静音制御する。
【発明の効果】
【０００７】
本発明によれば、装置の使い勝手を損ねることなく、雑音が記録されてしまうことを防ぐことが可能となる。
【図面の簡単な説明】
【０００８】
【図１】システムのブロック図である。
【図２】デジタルカメラ模式図である。
【図３】デジタルカメラ撮影処理のフローである。
【図４】ライブ画像表示処理のフローである。
【図５】レンズ駆動処理フローである。
【図６】ヘッドセット検知処理フローである。
【図７】マイク検知処理フローである。
【発明を実施するための形態】
【０００９】
図１は本実施例で示すデジタルカメラのシステムの構成を示したブロック図である。図１において、MPU １０００は本装置全体を制御するMPUである。MPU１０００は、ユーザからの入力を受け付ける操作部材１００１、ユーザへのデータの表示を行う表示装置１００７、MPU が利用する各種データを記憶する内部記憶装置１００２、外部記憶装置１００５、撮像を行い撮像データを電子データに変換する撮像装置１００４、撮像装置１００４の動作を制御する撮像制御装置１００３である。
【００１０】
撮像装置で撮像したRAW データを現像する現像装置１００５、各種データ通信を外部の機器と行う通信装置１００８などが内部バス１００９を経由してMPU１０００に接続されている。ここで、内部記憶装置１００２の実現形態として ROM、RAMなどが考えられ、外部記憶装置１００６の実現形態としては、各種可搬メディア(SD、CFカードなど)、HDD などが考えられるが本実施例ではいずれの実現形態によっても問題ない。また、通信装置１００８は、有線LAN、USB、Wifi、BlueTooth（登録商標） など様々な実施形態が考えられるが、本実施例ではいずれの実現方法によっても問題ない。
【００１１】
さらに、ズームレンズ１０１７、AFレンズ１０１５、IS レンズ１０１３とそれらレンズ群を駆動する図ズームレンズアクチュエータ１０１６、AFレンズアクチュエータ１０１４、IS レンズアクチュエータ１０１２と、これらアクチュエータを制御するドライバIC １０１１があり、専用の通信ポート経由で MPU １０００と接続されている。
【００１２】
デジタル/アナログ信号変換装置である DA １１００経由で内蔵スピーカ装置１１０１と、外部のヘッドセット１１０３への接続可能なアナログ出力端子１１０２へと接続され、内部記憶装置１００２などに保存されているデジタル音声データをアナログデータとして出力可能である。これら内臓スピーカ装置１１０１とアナログ音声出力端子１１０２へのアナログ音声の出力は、MPU １０００によって切り替え可能である。
【００１３】
さらに、アナログ・デジタル変換装置である AD １１１０経由で、内蔵マイク装置１１１１、外部マイク１１１３と接続可能なアナログ音声入力端子１１１２へと接続され、外部のアナログ音声をデジタルデータに変換して内部記憶装置１００２などに記録することが可能である。これら内蔵マイク装置１１１１と、アナログ音声入力端子１１１２からのアナログ音声の入力は、MPU １０００によって切り替え可能である。
【００１４】
また、アナログ音声出力端子１１０２、アナログ音声入力端子１１１２は、それぞれヘッドセット１１０３、外部マイク１１１３の接続状態が、MPU１０００で検知可能である。ここで、DA １１０２、AD １１０２ は別体の構成で示しているが同一体での形態でも問題はない。
【００１５】
図２はデジタルカメラにおける実装例を模した図である。デジタルカメラ本体２０００に、AF機能、IS機能、ズーム機能などを備えたレンズ鏡筒２００５が付随し、筐体上に内蔵マイク２００１、内蔵スピーカ２００２が備わり、更に外部ヘッドセット端子２００３、外部マイク端子２００４が備わる。外部ヘッドセット端子２００３は、アナログ音声出力端子１１０２の、外部マイク端子２００４は、アナログ音声入力端子１１１２の模式的な実現形態を示したものであり、それぞれヘッドセット１１０３、マイク１１１３が接続可能である。
【００１６】
図３は図１のMPU１０００の撮影処理の際のフローを示す。MPU１０００は、S３００１において操作部材１００１または、通信装置１００８経由で撮影指示があるか否かを判定し、撮影指示があった場合には、S３００２に進み撮像装置１００４のデータを、撮像制御装置１００３経由で取得し、内部記憶装置１００３に一旦記憶する。S３００２において内部記憶装置１００２に記憶したRAW画像を現像装置１００５においてJPEG、RAW データなど指示された形式に現像する。S３００３において現像されたデータは、S３００４において外部記憶装置１００５に記録され、MPU １０００は処理を再度S３００１に戻す。
【００１７】
S３００１において撮影指示がないと判断した場合は、S３００５に進み表示装置１００７にライブ画像表示処理(S３００５)を行う。S３００１において撮影処理の終了指示がある場合は、本処理を終了する。
【００１８】
図４は、図３におけるS３００５ライブ画像表示処理の詳細フローを示した図である。S４００１において、MPU １０００は、操作部材１００１などからのユーザの入力によりライブ画像表示処理の終了が指示されたと判断した場合は、本処理を終了するが、そうでない場合は、S４００２に進む。MPU１０００は、S４００２において現フォーカスのモードがオートフォーカスであること、撮像装置１００４、撮像制御装置１００５から入力された画像の情報などから、AF レンズ駆動が必要であるか否かを判断し、AF レンズ駆動が必要であると判断すれば、S４００３AFレンズ駆動処理に進み、そうでない場合は、S４００４に進む。
【００１９】
S４００３AFレンズ駆動処理の詳細は後述する。MPU１０００は、S４００３において現在 IS 処理の実施が指定されていること、撮像装置１００４、撮像制御装置１００５から入力された画像の情報などから、IS レンズ駆動が必要であるか否かを判断し、IS レンズ駆動が必要であると判断すれば、S４００５ IS レンズ駆動処理に進み、そうでない場合は、S４００６に進む。
【００２０】
S４００５ ISレンズ駆動処理の詳細は後述する。MPU１０００は、S４００６において現在ズームの動作の実施がユーザにより操作部材１００１または、通信装置１００８経由での指定の有無により、ズームiレンズ駆動が必要であるか否かを判断し、ズームレンズ駆動が必要であると判断すれば、S４００７ズームレンズ駆動処理に進み、そうでない場合は、S４００８へ進む。S４００７ズームレンズ駆動処理の詳細は後述する。S４００８において、MPU １０００は、撮像装置１００４、撮像制御装置１００３からの撮像データを現像装置１００５によりライブ画像に適した画像に変換し、表示装置１００７に表示する。
【００２１】
図５は、図４におけるS４００３AFレンズ駆動処理、S４００５ IS レンズ駆動処理、S４００７ズームレンズ駆動処理の詳細フローを示した図である。AFレンズ１０１５、IS レンズ１０１３、ズームレンズ１０１７それぞれのレンズの実体は異なるが、制御のフローは共通であり、ドライバIC １０１１ を経由して、それぞれのアクチュエータ(IS レンズアクチュエータ１０１２、AF レンズアクチュエータ、ズームレンズアクチュエータ１０１４)を同様に制御することにより実現可能である。
【００２２】
MPU １０００は、S５００１においてヘッドセットの検知処理を行い、その結果ヘッドセットが検知でき、かつアナログ音声出力端子１１０２からヘッドセット１１０３へ音声を出力していると判断(S５００２)した場合は、S５００４に進む。そうでない場合は、S５００３へ進む。S５００１ヘッドセット検知処理の詳細は、後述する。MPU１０００は、S５００４において、マイク検知処理を実施し、マイク１１１３経由でアナログ音声入力端子１１１２に対して音声入力がなされていると判断(S５００５)した場合は、S５００３へ進む。
【００２３】
そうでない場合はS５００６へ進み、MPU１０００は、ドライバID１０１１に対して、それぞれのアクチュエータ(１０１２、１０１４、１０１６)を低騒音で動作させるように指示を送る。S５００３においてMPU１０００は、ドライバID１０１１に対してそれぞれのアクチュエータ(１０１２、１０１４、１０１６)を通常動作させるように指示を送る。S５００３、S５００６において所定のレンズ駆動が終了した後本処理は終了する。
【００２４】
図６は、図５におけるS５００１ヘッドセット検知処理の詳細フローを示した図である。MPU １０００は、S６００１において内部記憶装置１００２内の任意の領域に記憶しているヘッドセット出力フラグを確認し、ヘッドセット出力フラグの値がオンであるか否かを判定(S６００２)し、オンであればS６００３に進む。S６００２でヘッドセット出力フラグがオンでない場合は本処理を終了する。MPU １０００は、S６００３において、アナログ音声出力端子１１０２の接続状態を確認し、ヘッドセット１１０３が接続されていると判断すればS６００４に進み、そうでない場合は、本処理を終了する。
【００２５】
S６００４では、内部記憶装置１００２の任意の領域のヘッドセット出力フラグをオンにし、アナログ音声出力の切り替えを行いアナログ音声出力端子１１０２からヘッドセット１１０３へアナログ音声の出力を行う。
【００２６】
図７は、図５におけるS５００４マイク検知処理の詳細フローを示した図である。MPU １０００は、S７００１において内部記憶装置１００２内の任意の領域に記憶しているマイク入力フラグを確認し、マイク入力フラグの値がオンであるか否かを判定(S７００２)し、オンであればS７００３に進む。S７００２でマイク入力フラグがオンでない場合は本処理を終了する。MPU １０００は、S７００３において、アナログ音声入力端子１１１２の接続状態を確認し、外部マイク１１１３が接続されていると判断すればS７００４に進み、そうでない場合は、本処理を終了する。
【００２７】
S７００４では、内部記憶装置１００２の任意の領域のマイク入力フラグをオンにし本処理を終了する。
【符号の説明】
【００２８】
１０００  本装置全体を制御するMPU
１００１  操作部材
１００７  表示装置
１００２  内部記憶装置
１００５  外部記憶装置
１００４  撮像装置
１００３  撮像制御装置
１００５  現像装置
１００８  通信装置
１００９  内部バス
【図１】
2018078460.tif 000003
【図２】
2018078460.tif 000004
【図３】
2018078460.tif 000005
【図４】
2018078460.tif 000006
【図５】
2018078460.tif 000007
【図６】
2018078460.tif 000008
【図７】
2018078460.tif 000009